(57)【特許請求の範囲】
【請求項１】
トナー及び磁性粒子からなる現像剤を表面に担持する現像剤担持体と、該現像剤担持体の内部に配置された磁界発生手段と、前記現像剤担持体に担持された現像剤の量を規制する現像剤規制部材と、該現像剤規制部材で進行が阻止された現像剤が滞留する現像剤滞留部を前記現像剤担持体との間に形成する現像剤収納部材と、前記現像剤滞留部に現像剤担持体の剤搬送方向の上流側から隣接するとともに前記現像剤担持体に対向するトナー補給口を有するトナー収容部とを備えた現像装置において、
前記現像剤規制部材で進行が阻止された現像剤が前記現像剤担持体の長手方向の外側に広がるのを防ぐ広がり防止部材を、前記現像剤滞留部の両端部に夫々設け、
該広がり防止部材の内面間の距離が、前記磁界発生手段の前記広がり防止部材が設けられている領域に対向する磁極の現像剤担持体長手方向の有効着磁幅よりも狭く構成され、
前記磁界発生手段の各磁極のうち、前記広がり防止部材が設けられている領域に対向する磁極の現像剤担持体長手方向の有効着磁幅よりも、前記広がり防止部材が設けられていない領域に対向する磁極の現像剤担持体長手方向の有効着磁幅が狭くなっており、
前記広がり防止部材が設けられている領域に対向する磁極の現像剤担持体長手方向の有効着磁幅が、当該磁極の現像剤搬送方向直下流の磁極の現像剤担持体長手方向の有効着磁幅よりも広いことを特徴とする現像装置。
【請求項２】
前記広がり防止部材が設けられていない領域に対向する磁極が複数極に構成され、該複数の磁極は、各磁極の現像剤担持体長手方向の有効着磁幅が現像剤担持体の剤搬送方向の下流に配置されているものほど狭くなっていることを特徴とする、請求項１に記載の現像装置。
【請求項３】
前記広がり防止部材が設けられている領域に対向する磁極のうち、現像剤担持体の剤搬送方向の最上流の磁極の現像剤担持体長手方向の有効着磁幅が前記広がり防止部材の内面間の距離よりも狭いことを特徴とする、請求項１に記載の現像装置。
【発明の詳細な説明】
【０００１】
【発明の属する技術分野】
本発明は、複写機、プリンタ、ファクシミリ等の画像形成装置における現像装置に関し、さらに詳しく言えば、トナーと磁性キャリアからなる二成分現像剤を用いる現像装置に関するものである。
【０００２】
【従来の技術】
二成分現像は電子写真その他の、粉体トナーを用いた画像形成方法において、特に高速対応性に優れた現像法式として知られていおり、近年では複写機やレーザープリンタなどの商品分野において主流の技術として使われている。
【０００３】
二成分現像では、現像剤担持体である、内部に磁石を設置した非磁性スリーブの表面に現像剤を搬送し、現像剤をブラシ状（磁気ブラシ）に保持させて像担持体に接触ないし近接させ、静電潜像が形成された像担持体と電気的バイアスが印加されたスリーブとの間の電界によってトナーが潜像面に選択的に付着することにより、現像が行われる。
【０００４】
二成分現像剤（以下、単に「現像剤」という）を用いる現像装置において、装置の小型化および低コスト化を図るという観点から、現像剤攪拌搬送部材（攪拌パドル、攪拌スクリュー等）やトナー濃度センサ等による複雑なトナー濃度制御機構を設けずにトナー濃度及びトナー帯電量の制御を行うものが提案されている（例えば、特開平９−１９７８３３号公報や特開平９−２０４１００号公報参照）。
【０００５】
図６は、そのような、複雑なトナー濃度制御機構を有さない現像装置の一例を示すものである。この図に示す現像装置は、現像剤３を表面に担持する現像スリーブ４と、その内部に配置されたマグネットロール５と、現像スリーブ４に担持された現像剤の量を規制するためのドクターブレード６と、現像剤滞留部Ａを現像スリーブ４との間に形成する現像剤収納部材７と、トナー補給口８ａを有するトナー収容部８とを備えている。現像剤３は、トナー３ａ及び磁性粒子としてのキャリアからなっている。この現像装置においては、現像剤滞留部Ａ内で現像スリーブ４の周辺に存在するキャリアの総量及び現像スリーブ４による現像剤搬送力などでトナー濃度が決定される。
【０００６】
ところで、マグネットロール５によって現像スリーブ４の表面に発生する磁界の強さは、現像スリーブ４の長手方向（軸方向）にわたって均一であることがトナー濃度を均一に制御する上で好ましいが、磁界発生手段５の長手方向両端部付近の磁界の強さ及び向きは両端部以外の部分と比較して異なっていることが多い。そのため、磁界の強い部分はトナー濃度が高くなり、弱いところはトナー濃度が低くなり、画像の濃度ムラを発生することがある。
【０００７】
特開平９−２０４１００号公報に記載の装置では、両端部で磁界の強さが強くなっているマグネットロールを例に、現像剤の存在領域幅を、磁界が均一である範囲内に規制することで上記の画像濃度ムラを防ぐようにしている。同公報における実施例では、現像剤存在領域を規制するための側壁と、この側壁と現像スリーブとの間隙を埋めるためのスポンジシールによって、現像剤存在領域外への現像剤の広がりを防いでいる。
【０００８】
【発明が解決しようとする課題】
しかしながら、現像剤には常に磁界発生手段（マグネットロール）による磁界の有る幅に広がろうとする力が作用するため、現像剤規制部材（ドクターブレード）を通過後の現像剤は、下流に行くに従って、規制された現像剤存在領域よりも広がっていく傾向にある。
【０００９】
そして、再び現像剤滞留部に帰ってきたときには、規制幅の外側に広がった現像剤は端部のスポンジシールに阻止される。進入を阻止された現像剤は、増え続けることはないがトナー取り込みを阻害することになり、現像スリーブ長手方向のトナー濃度の均一性を損なうという問題がある。
【００１０】
また、スポンジシールによるシールでは完全に現像剤の侵入を阻止することは難しく、わずかな現像剤がスポンジシールと現像スリーブの間に入り込み、経時的には現像スリーブ表面の磨耗を促進してしまうという問題もある。
【００１１】
本発明は、従来の現像装置における上述の問題を解決し、複雑なトナー濃度制御機構や現像剤攪拌搬送機構を有さない小型で安価な現像装置において、現像剤担持体（現像スリーブ）端部での現像剤の搬送の安定化を図り、均一な画像濃度の実現と経時耐久性を向上させることのできる現像装置を提供することを課題とする。
【００１２】
【課題を解決するための手段】
前記の課題は、本発明により、トナー及び磁性粒子からなる現像剤を表面に担持する現像剤担持体と、該現像剤担持体の内部に配置された磁界発生手段と、前記現像剤担持体に担持された現像剤の量を規制する現像剤規制部材と、該現像剤規制部材で進行が阻止された現像剤が滞留する現像剤滞留部を前記現像剤担持体との間に形成する現像剤収納部材と、前記現像剤滞留部に現像剤担持体の剤搬送方向の上流側から隣接するとともに前記現像剤担持体に対向するトナー補給口を有するトナー収容部とを備えた現像装置において、前記現像剤規制部材で進行が阻止された現像剤が前記現像剤担持体の長手方向の外側に広がるのを防ぐ広がり防止部材を、前記現像剤滞留部の両端部に夫々設け、該広がり防止部材の内面間の距離が、前記磁界発生手段の前記広がり防止部材が設けられている領域に対向する磁極の現像剤担持体長手方向の有効着磁幅よりも狭く構成され、前記磁界発生手段の各磁極のうち、前記広がり防止部材が設けられている領域に対向する磁極の現像剤担持体長手方向の有効着磁幅よりも、前記広がり防止部材が設けられていない領域に対向する磁極の現像剤担持体長手方向の有効着磁幅が狭くなっており、前記広がり防止部材が設けられている領域に対向する磁極の現像剤担持体長手方向の有効着磁幅が、当該磁極の現像剤搬送方向直下流の磁極の現像剤担持体長手方向の有効着磁幅よりも広いことにより解決される。
【００１３】
また、前記の課題を解決するため、本発明は、記広がり防止部材が設けられていない領域に対向する磁極が複数極に構成され、該複数の磁極は、各磁極の現像剤担持体長手方向の有効着磁幅が現像剤担持体の剤搬送方向の下流に配置されているものほど狭くなっていることを提案する。
【００１４】
また、前記の課題を解決するため、本発明は、前記広がり防止部材が設けられている領域に対向する磁極のうち、現像剤担持体の剤搬送方向の最上流の磁極の現像剤担持体長手方向の有効着磁幅が前記広がり防止部材の内面間の距離よりも狭いことを提案する。
【００１５】
【発明の実施の形態】
以下、本発明の実施の形態を図面に基づいて説明する。
図１は、本発明に係る現像装置の一例を示すもので、（ａ）は概略構成を示す断面図、（ｂ）は現像スリーブ付近の斜視図である。この現像装置は画像形成装置、例えば電子写真複写機あるいはプリンタ等に用いられるものである。
【００１６】
この図に示す現像装置１は、現像器ケース２、現像剤担持体としての現像スリーブ（現像ローラ）４、磁界発生手段であるマグネットローラ５、現像剤規制部材であるドクター６、現像剤収納ケース７等を備えており、画像形成装置の像担持体である円筒状の感光体ドラム２０の側方に配置されている。現像器ケース２は現像装置の本体ケーシングであり、感光体ドラム１に向けて開口部が形成されている。その開口部から一部が露出するように現像スリーブ４が配置されている。現像スリーブ４は非磁性材質からなり、その表面に現像剤３を担持する。なお、現像剤３はトナー及び磁性粒子（キャリア）からなる２成分現像剤である。マグネットローラ５は現像スリーブ４の内部に固定配置されている。ドクター６は、現像スリーブ４上に担持されて搬送される現像剤３の量を規制する部材である。現像剤収納ケース７は、現像スリーブ４と対抗する面に開口部を有する現像剤収納部材である。
【００１７】
現像剤収納ケース７は現像スリーブ４の上方に位置し、現像スリーブ４との間に現像剤滞留部Ａを形成している。現像剤滞留部Ａは、現像位置（現像スリーブ４と感光体ドラム１との対抗部）への進行がドクタ６で阻止された現像剤が滞留するスペースである。その現像剤滞留部Ａに磁界の磁力が及ぶように、マグネットローラ５に磁極が形成されている。このマグネットローラ５には、一般的な現像装置と同様に、現像位置に対抗して主極（Ｐ１）が形成され、かつ、現像スリーブ４上に現像剤を担持しつづけながら搬送できるように適宜位置に搬送磁極が形成されている。
【００１８】
また、現像器ケース２の一部は、トナーを収容するトナー収容部としてのトナーホッパ８を形成している。このトナーホッパ８は、現像スリーブ４上の現像剤搬送方向（図１では反時計回り）における現像剤滞留部Ａの上流側に隣接して、現像スリーブ４表面と対抗するトナー補給口８ａを有している。トナー補給口８ａと隣り合うトナーホッパ８の底部位置に、ホッパ内のトナー３ａをトナー補給口８ａに向けて攪拌しながら送り出す攪拌部材としてのトナーアジテータ９が配設されている。
【００１９】
また、図１（ｂ）に示すように、現像剤収納ケース７の両端部には、現像スリーブ４側に突出した側板７ａが設けられている。この側板７ａは、現像スリーブ４の有効現像範囲Ｂの両外側の範囲Ｃ，Ｃに現像剤が存在しないように、現像剤の横移動を防止するための側板である。なお、現像剤収納ケース７の両側板７ａ，７ａの内面間の距離Ｅ１＝有効現像範囲Ｂである。また、現像剤収納ケース７（の側板７ａ）と現像スリーブ４間の距離はｄ１である。その側板７ａと現像スリーブ４のギャップを埋めるように、後述するシール部材１１ａが側板７ａに取り付けられて設けられている。そのシール部材としてはスポンジやモルトプレーンなどを用いることができる。なお、シール部材１１ａは、図２において、現像剤収納ケース７の両側板７ａ，７ａの下面（現像スリーブ４に対向する面）７ｂに貼り付けられる。シール部材の幅は側板７ａの幅（厚み）と同じである。また、シール部材１１ａの下側に連なって、後述するシール部材１１ｂが設けられる。各シール部材については図４により説明する。
【００２０】
図３は、現像スリーブ４の軸方向におけるＰ４極の磁力分布と現像剤収納ケース７により形成される現像剤滞留部Ａとの位置関係を説明する模式図である。マグネットローラ５の性質上、現像スリーブ４の磁力分布は図示の特性線Ｄのように、現像スリーブ４の両端部において若干高くなっている。この磁力の高い部分がトナー取り込み部の現像剤の搬送性に作用しないようにするため、マグネットローラ５の両端の磁力の高い部分に現像剤滞留部Ａが存在しないよう規制する位置に上記の側板７ａが設けられている。
【００２１】
上記のように構成された現像装置において、現像スリーブ４上の現像剤３は、スリーブ４の矢印方向（図における反時計回り）の回転に伴って搬送され、ドクタ６により規制されて薄層化される。薄層化された現像剤３は、図中時計回りに回転する感光体ドラム２０と対向する現像位置に搬送される。この現像位置で、感光体ドラム２０上に形成されている静電潜像にトナーが供給され、静電潜像の可視像化が行われる。現像スリーブ４の回転に伴ってさらに搬送され現像位置を通過した現像剤３は、アジテータ９によりトナー補給口８ａを介して送り出され現像剤滞留部Ａの現像剤と接するように滞留しているトナー３ａと現像剤滞留部Ａの現像剤との接触部Ｅで、新しいトナーを取り込んだ後、現像剤滞留部Ａに戻る。そして、新しいトナー３ａを含んだ現像剤３はドクタ６による規制部で内圧が増加する。この内圧の増加した現像剤中でキャリアによるトナーの帯電が行われる。このように、現像剤滞留部Ａにおける現像剤の内圧により、現像スリーブ４上の現像剤３中のトナーを帯電することができるので、攪拌パドルや攪拌スクリューなどの、現像剤を帯電あるいは攪拌するための複雑な攪拌搬送機構が不要である。
【００２２】
一方、現像位置に供給されずにドクタ６で進行が阻止された現像剤３の一部は、現像剤滞留部Ａ内で現像剤３自身の内圧及び重力によってトナー補給口８ａに向かって移動する。トナー補給口８ａ付近まで移動してきた現像剤３は、現像スリーブ４の回転に伴ってドクタ６側に循環するよう搬送される。
【００２３】
また、現像剤３に補給されたトナーが多くなってトナー濃度が高まると、それに伴って現像剤３の嵩が増加するため、現像剤３がトナー補給口８ａまでダレてきて、トナー補給口８ａの開口を覆ってしまう。このため、現像スリーブ４上の現像剤３へのトナー取り込み量が少なくなる。このトナー取り込み量の減少により、現像剤３のトナー濃度が常に一定濃度以下に保たれる。逆に、現像剤３のトナー濃度が低くなると現像剤３の嵩が減少するため、現像剤３がトナー補給口８ａを塞がなくなるので、現像スリーブ４上の現像剤３へ所定量のトナーが取り込まれ、現像剤３のトナー濃度が常に一定濃度以上に保たれる。このようにトナー濃度をほぼ一定範囲内にコントロールできるので、トナー濃度センサ、現像剤の現像能力を知るために感光体ドラム１上に形成した基準トナー像の画像濃度を検知する光学的画像濃度センサ（いわゆるＰセンサ）、トナー補給部材などを用いた複雑なトナー濃度制御機構が不要となる。
【００２４】
図４は、前述したシール部材の様子を示すもので、図４（ａ）は図１（ａ）とは異なる位置での断面図、（ｂ）は現像装置の内部の一部を示す斜視図である。
【００２５】
図４に示すように、現像剤滞留部Ａとトナー収容部８とを区画する現像剤収納ケース７の壁部は下方に延長され、その延長部７ｃの下端は現像器ケース２の底壁部の上面に接して現像剤滞留部Ａとトナー収容部８とを完全に仕切るように形成されている。そして、図４（ｂ）に示すように、その延長部７ｃにトナー補給口８ａが設けられている。
【００２６】
この図において、現像剤収納ケース７の両側板７ａ，７ａの現像スリーブ対向面にシール部材１１ａが貼り付けられている。これにより、側板７ａと現像スリーブ４表面との間の隙間をなくし、現像剤の外側への移動を防止している。また、現像器ケース２の、現像スリーブ４と対向する部分の両端部に、シール部材１１ａと同様のシール部材１１ｂを設けており、現像器ケース２と現像スリーブ４表面との間の隙間をなくすように構成されている。なお、シール部材１１ａ及び１１ｂの幅（現像スリーブ４軸方向の長さ）は側板７ａの幅（厚み）と同じであり、シール部材１１ａ及び１１ｂの厚みは、側板７ａ及び現像器ケース２と現像スリーブ４表面との間隙を埋める厚みである。また、シール部材１１ｂが設けられる位置（現像スリーブ軸方向における位置）は、シール部材１１ａと同じ位置である。
【００２７】
さて、このように構成された現像装置において、マグネットローラ５はＰ１，Ｐ２，Ｐ３，Ｐ４の４極の磁極を形成し現像剤を搬送している。Ｐ１は感光体ドラム２０と対向して現像を行う極であり、Ｐ２は剤搬送極、Ｐ３及びＰ４はトナー濃度を制御するうえで重要な役目を果たしている。Ｐ３及びＰ４極によって発生する現像剤の搬送力が幅方向（スリーブ軸方向）に均一でないとトナー濃度のばらつきを発生するため、搬送力に直接影響する磁力は特に均一性が求められる。本実施形態においては、マグネットローラ５の両端に発生する磁力の高い範囲がトナー取り込み部において現像剤の搬送に作用しないように規制しているので、有効現像範囲の全幅にわたって均一なトナー濃度を保つことができるようになっている。
【００２８】
ところで、現像スリーブ上に担持される現像剤は、スリーブ両端に規制部材（側板７ａ）がないところでは、磁力の発生している幅に広がる可能性がある。ドクタ６を通過した現像剤は両端の規制部材がない領域を搬送され再び規制部材がある領域に戻ってくるが、マグネットローラ５のすべての磁極の幅（軸方向の）が同じだった場合には、規制部材（側板７ａ）がない領域で現像剤の存在領域が一旦広がり再度規制部材（側板７ａ）によって規制領域内に回収される。この時、規制領域の両端部では、磁力で保持された現像剤を無理やりずらすような現象になるため、現像剤の一部はシール部材１１ａ，ｂ（図１においては図示しないシール部材）と現像スリーブ４の間に入り込んで、現像スリーブ表面を磨耗させる原因となってしまう。
【００２９】
そこで本実施形態では、両端に側板７ａが必要なトナー取り込み部に対向する磁極（Ｐ３，Ｐ４）の有効着磁幅よりも、両端に側板７ａが設けられていない領域に対向する磁極の有効着磁幅を狭く構成している。Ｐ３，Ｐ４の有効着磁幅は現像剤滞留部Ａの幅（スリーブ軸方向の長さ）Ｅ１とほぼ一致させるのが望ましいが、例えば、次のように各磁極の有効着磁幅を段階的に変化させると、シール部材と現像スリーブ４の間に進入した僅かな現像剤を段階的に中央部に引き戻す効果を得られる。
Ｌ１＞Ｌ２＝Ｅ１＜Ｌ３＝Ｌ４＞Ｌ１
Ｌ１：Ｐ１の有効着磁幅、Ｌ２：Ｐ２の有効着磁幅
Ｌ３：Ｐ３の有効着磁幅、Ｌ４：Ｐ４の有効着磁幅
Ｅ１：現像剤滞留部Ａの幅
なお、ここでの幅はスリーブ軸方向の長さを意味する。また、有効着磁幅とは、磁界発生手段（マグネットローラ５）によって発生する磁力により現像剤担持体（現像スリーブ４）上に現像剤を保持できる幅（現像スリーブ長手方向の長さ）をいう。
【００３０】
このように、各磁極の有効着磁幅を段階的に異ならせることによる効果は、両端に側板７ａのある領域（Ｐ４）を出た現像剤がＰ１，Ｐ２と磁極を通過する毎に少しずつ横方向に（ここでは、スリーブ長手方向の中央側に）移動するため、スリーブから落下することなく現像剤を引き戻せることである。仮に、段階的に有効着磁幅を狭くせず、Ｐ４に対してＰ１又はＰ２の幅を大きく狭くした場合、シール部材と現像スリーブ４の間に進入した僅かな現像剤は、現像剤滞留部ＡからＰ１極上に移動した時に端部の磁力が無い（着磁幅が狭いので）ために中央部の磁力の有る範囲に引っ張られるが大きな距離は移動できずに落下してしまう恐れがある。
【００３１】
また、Ｌ２すなわちＰ２の有効着磁幅をシール部材の内側面間の距離（Ｅ１）よりも若干狭く構成すると、両端部の現像剤層がシール部材に蹴られることなく、よりスムーズな搬送状態が実現できるため、シール部材の下に現像剤が進入することを防ぐのにさらに有効である。
【００３２】
図５に各部材の幅と各磁極の磁力の幅を対応して示す。
図５において、本実施形態の現像装置では、現像器ケース２の両側側板２ａ，２ｂ間に、現像スリーブ４、ドクター６、現像剤収納ケース７、アジテータ９などが収まるように各部材の幅及び配置位置が設定されている。例えば、現像器ケースの側板２ａ，２ｂ間の距離３７０ｍｍに対し、現像スリーブ４の幅Ｉ、現像剤収納ケースの両側側板７ａの外面間の距離、ドクター６の幅Ｊ、アジテータの幅Ｋを３１８ｍｍにしている。そして、現像剤収納ケースの両側側板７ａの内面間の距離Ｅ１を、Ｐ３及びＰ４極の磁界の強さの分布における両端のピークを避けた磁界の強さの均一な範囲内に一致させている（例えば、３０４ｍｍ）。さらに、トナー補給口８ａの幅をＥ１よりも狭い幅Ｆに設定している。
【００３３】
なお、図５には、感光体ドラム２０と、その感光体表面を一様に帯電させる帯電ローラ１２も合わせて示している。この現像装置では、感光体ドラム２０及び帯電ローラ１２ともに、現像スリーブ４の幅の中に収まるようになっている。例えば、感光体ドラム１の幅Ｇが３００ｍｍ、帯電ローラ１２の幅Ｈが３１２ｍｍである。
【００３４】
ところで、上記実施形態では、マグネットローラ５の感光体ドラム２０に対向する主極Ｐ１が単独の磁極として形成されているが、これを複数の磁極として構成することもできる。その場合、各磁極の有効着磁幅は、剤搬送方向の下流に配置されているものほど狭くすることによって、各極の有効着磁幅が徐々に狭くなるので、現像剤が搬送されるに従ってスリーブ中央側に引き戻される際に、少しずつ移動する（スリーブ長手方向）ので、現像剤がスリーブから落下することなく中央寄りに引き戻すことができる。
【００３５】
【発明の効果】
以上説明したように、本発明の現像装置によれば、広がり防止部材の有る範囲の磁極の有効着磁幅よりも広がり防止部材のない範囲の磁極の有効着磁幅が狭いので、広がり防止部材のない領域においても現像剤の広がり（現像スリーブ長手方向への）を抑えることができる。また、広がり防止部材にシール部材が装着されている場合には、現像剤が再び広がり防止部材の有る領域に搬送されてきた時に、シール部材と現像スリーブとの間に進入する現像剤を最小限に抑えることができる。
【００３６】
請求項２の構成により、広がり防止部材が設けられていない領域の磁極は、各磁極の有効着磁幅（現像剤担持体長手方向の長さ）が剤搬送方向の下流に配置されているものほど狭くなっているので、両端部の現像剤は搬送されるに従って徐々に中央寄りに引き戻され、スリーブから落下することなく引き戻すことができる。
【００３７】
請求項３の構成により、広がり防止部材が設けられている領域に対向する磁極のうち、剤搬送方向の最上流の磁極の有効着磁幅が広がり防止部材の内面間の距離よりも狭いので、磁極の有効着磁幅が再び広くなる前に広がり防止部材が設けられた領域に到達することになる。そのため、端部の現像剤が広がり防止部材又はそれに装着されたシール部材に蹴られる可能性がさらに少なくすることができる。
【図面の簡単な説明】
【図１】本発明に係る現像装置の一例を示すもので、（ａ）は概略構成を示す断面図、（ｂ）は現像スリーブ付近の斜視図である。
【図２】その現像装置における、現像剤収納ケース７の側板に装着されるシール部材の貼り付け位置を説明する斜視図である。
【図３】ある磁極の磁力分布と現像剤収納ケースにより形成される現像剤滞留部との位置関係を説明する模式図である。
【図４】シール部材の装着された様子を示すもので、（ａ）は図１（ａ）とは異なる位置での断面図、（ｂ）は現像装置の内部の一部を示す斜視図である。
【図５】本実施形態における、各部材の幅と各磁極の磁力の幅を対応して示す説明図である。
【図６】複雑なトナー濃度制御機構を有さない現像装置の従来例を示すもので、（ａ）は概略構成を示す断面図、（ｂ）は現像スリーブ付近の斜視図である。
【符号の説明】
１        現像装置
２        現像器ケース
３        現像剤
４        現像スリーブ（現像剤担持体）
５        マグネットローラ（磁界発生手段）
６        ドクターブレード（現像剤規制部材）
７        現像剤収納ケース（現像剤収納部材）
７ａ      側板（広がり防止部材）
８        トナーホッパ（トナー収容部）
８ａ      トナー補給口
１１ａ    シール部材
１１ｂ    シール部材
２０      感光体ドラム（像担持体）
Ａ        現像剤滞留部
【図１】
0003634638.tif 000002
【図２】
0003634638.tif 000003
【図３】
0003634638.tif 000004
【図４】
0003634638.tif 000005
【図５】
0003634638.tif 000006
【図６】
0003634638.tif 000007